(57)【要約】【課題】  隣接するターンの巻線間で大きな浮遊容量が発生するのを抑制し高い周波数領域においても高いインピーダンスを有する小型のコモンモードチョークコイルを提供。【解決手段】  ドラム型コア１１と、このコアの一方の鍔の周部と他方の鍔の周部とにそれぞれ一対互いに独立して形成された電極１４と、一方の鍔のそれぞれ異なる電極に始端が接続されるとともに巻軸の周囲に互いに密着して複数ターン巻回され他方の鍔のそれぞれ異なる電極に終端が接続された一対の導線１５とを有するコモンモードチョークコイル１０であって、巻軸１３の周囲に複数ターン巻回された導線のうち少なくとも１箇所に一対の導線１５が交差する交差部Ｃが設けられて交差部Ｃを構成するいずれか一方の導線同士が交差部の前後１ターン未満で隣接するように巻回されている。従って、同極の導線同士が隣接することとなり隣接するターンの導線間に生じる浮遊容量が低減される。【選択図】図１
2008034777.tif 000002
【特許請求の範囲】
【請求項１】
巻軸と該巻軸の一方及び他方の端部に該巻軸と直交するように設けられた一方及び他方の鍔とを有するドラム型コアと、該ドラム型コアの前記一方の鍔の周部と他方の鍔の周部とにそれぞれ一対互いに独立して形成された電極と、前記ドラム型コアの前記一方の鍔のそれぞれ異なる電極に始端が接続されるとともに前記ドラム型コアの前記巻軸の周囲に互いに密着して複数ターン巻回され前記他方の鍔のそれぞれ異なる電極に終端が接続された一対の導線とを有するコモンモードチョークコイルにおいて、
前記ドラム型コアの巻軸の周囲に複数ターン巻回された導線のうち少なくとも１箇所に前記一対の導線が交差する交差部が設けられて該交差部を構成するいずれか一方の導線同士が該交差部の前後１ターン未満で互いに隣接するように巻回されていることを特徴とするコモンモードチョークコイル。
【請求項２】
前記ドラム型コアの巻軸は該巻軸と直交する断面が矩形であり、該巻軸の一つの面上に前記交差部が設けられ、前記交差部を構成するいずれか一方の導線同士が前記巻軸の残りの三つの面上で隣接していることを特徴とする請求項１記載のコモンモードチョークコイル。
【請求項３】
前記一対の導線の互いに隣接する二つのターンに前記交差部がそれぞれ設けられていることを特徴とする請求項１記載のコモンモードチョークコイル。
【請求項４】
前記一対の導線のターン毎にそれぞれ前記交差部が設けられていることを特徴とする請求項１〜３のいずれか一項に記載のコモンモードチョークコイル。
【請求項５】
前記一対の導線に複数の交差部を備えるとともに、いずれか一方の導線が前記複数の交差部のそれぞれにおいて前記巻軸表面との間に他方の導線を挟んでその外側を乗り越えるように交差していることを特徴とする請求項１〜３のいずれか一項に記載のコモンモードチョークコイル。
【発明の詳細な説明】
【技術分野】
【０００１】  本発明は、各種電子機器の信号線を通るコモンモードノイズを除去するために使用されるコモンモードチョークコイルに関する。
【背景技術】
【０００２】  従来のコモンモードチョークコイルは、ドラム型コアの巻軸の周囲に絶縁体で被覆された一対の導線をフラットに複数ターン巻回したものが一般的である。具体的には、一対の導線をバイファイラ巻きしたものとして下記の特許文献１がある。また、図８に示されるように一対の導線にペア線を巻回したものとして下記の特許文献２がある。【０００３】
【特許文献１】特開２００３−１５８０２１
【特許文献２】特開２００４−１４６６８３
【発明の開示】
【発明が解決しようとする課題】
【０００４】  近年、各種の周辺機器やネットワークとパーソナルコンピュータ等との接続や、高密度ディスプレイ等の入出力回路等において、高速大容量の情報が信号ラインを通じてやりとりする要求が強まっている。
また、これらの電子機器には小型化及び／または薄型化の要求が強まっており、これらの電子機器に搭載される電子部品においても小型化が要望されている。
ところが、巻線型コモンモードチョークコイルにおいて従来と同等レベルの電気的特性を得るためには、従来よりも小さなドラム型コアの巻軸の周囲に従来と同等もしくは従来以上のターン数で一対の導線を巻回することになる。このため、上記のようにドラム型コアの巻軸の周囲にペア線もしくは一対の導線をバイファイラ巻きしてフラットに複数ターン巻回するものにおいては、一対の導線のうちの一方の導線と、隣接するターンにおける一対の導線のうちの他方の導線との線間距離が接近して、この線間に大きな浮遊容量が発生する。このため、高い特性インピーダンスを得ることが困難になるという課題があった。【０００５】  本発明の目的は、小型や薄型の各種電子機器に用いる巻線型のコモンモードチョークコイルにおいて、互いに隣接するターンの導線間で大きな浮遊容量が発生するのを抑制して、高い特性インピーダンスを有するコモンモードチョークコイルを提供することにある。
【課題を解決するための手段】
【０００６】  前記目的を達成するため、本発明は、
（１）巻軸と該巻軸の一方及び他方の端部に該巻軸と直交するように設けられた一方及び他方の鍔とを有するドラム型コアと、該ドラム型コアの前記一方の鍔の周部と他方の鍔の周部とにそれぞれ一対互いに独立して形成された電極と、前記ドラム型コアの前記一方の鍔のそれぞれ異なる電極に始端が接続されるとともに前記ドラム型コアの前記巻軸の周囲に互いに密着して複数ターン巻回され前記他方の鍔のそれぞれ異なる電極に終端が接続された一対の導線とを有するコモンモードチョークコイルであって、
前記ドラム型コアの巻軸の周囲に複数ターン巻回された導線のうち少なくとも１箇所に前記一対の導線が交差する交差部が設けられて該交差部を構成するいずれか一方の導線同士が該交差部の前後１ターン未満で互いに隣接するように巻回されていることを特徴とする（・・・以下第１の課題解決手段と称する）。【０００７】  主要な形態の一つは、
（２）前記ドラム型コアの巻軸は該巻軸と直交する断面が矩形であり、該巻軸の一つの面上に前記交差部が設けられ、前記交差部を構成するいずれか一方の導線同士が残りの３つの面上で隣接していることを特徴とする（・・・以下第２の課題解決手段と称する）。【０００８】  また、他の主要な形態の一つは、
（３）前記一対の導線の互いに隣接する二つのターンに前記交差部がそれぞれ設けられていることを特徴とする（・・・以下第３の課題解決手段と称する）。【０００９】  また、他の形態の一つは、
（４）前記一対の導線のターン毎にそれぞれ前記交差部が設けられていることを特徴とする（・・・以下第４の課題解決手段と称する）。【００１０】  また、他の形態の一つは、
（５）前記一対の導線に複数の交差部を備えるとともに、いずれか一方の導線が前記複数の交差部のそれぞれにおいて前記巻軸表面との間に他方の導線を挟んでその外側を乗り越えるように交差していることを特徴とする（・・・以下第５の課題解決手段と称する）。【００１１】  上記第１の課題解決手段による作用は次の通りである。すなわち、前記ドラム型コアの巻軸の周囲に複数ターン巻回された導線のうち少なくとも１箇所に前記一対の導線が交差する交差部が設けられて該交差部を構成するいずれか一方の導線同士が該交差部の前後１ターン未満で互いに隣接するように巻回されているので、同極の導線同士が隣接することとなり導線間の電圧差が低減されるので、隣接するターンの導線間に生じる浮遊容量が低減される。【００１２】  また、上記第２の課題解決手段による作用は次の通りである。すなわち、前記ドラム型コアの巻軸は該巻軸と直交する断面が矩形であり、該巻軸の一つの面上に前記交差部が設けられ、前記交差部を構成するいずれか一方の導線同士が残りの３つの面上で隣接しているので、一対の導線が隣接する部分と交差部との位置がそれぞれ特定され、約３／４ターンの同じ導線同士が隣接する領域が安定して得られ、特性インピーダンスのばらつきが低減される。【００１３】  また、上記第３の課題解決手段による作用は次の通りである。すなわち、前記一対の導線の互いに隣接する二つのターンに前記交差部がそれぞれ設けられているので、一対の導線のそれぞれにおいて前記交差部の前後で同じ導線同士が隣接する。このため、一対の導線のそれぞれに浮遊容量が低減することにより、自己共振周波数が高くなりコモンモードノイズの除去効果が高まる。【００１４】  また、上記第４の課題解決手段による作用は次の通りである。すなわち、前記一対の導線のターン毎にそれぞれ前記交差部が設けられているので、大きな浮遊容量低減効果が得られる。【００１５】  また、上記第５の課題解決手段による作用は次の通りである。すなわち、前記一対の導線に複数の交差部を備えるとともに、いずれか一方の導線が前記複数の交差部のそれぞれにおいて前記巻軸表面との間に他方の導線を挟んでその外側を乗り越えるように交差しているので、簡易な巻線手段で安価に製造することができる。具体的には、ペア線を用いた場合もしくは一対の導線を同時に巻回する場合には、コアと給線手段とを相対的に連続して捻りを加えなくとも巻線可能であり、また、導線の撚りを解消するための大掛かりな巻線設備が不要となる。また、一対の導線を２度に分けて巻回する場合、すなわち、ドラム型コアの巻軸の周囲に一対の導線のうちの一方を予め巻回した後に該一方の導線と交差するように前記一対の導線のうちの他方を巻回する場合には、一般のコイルの製造に用いられる巻線ノズル１つの巻線機にて製造することができる。
【発明の効果】
【００１６】  上述したように本発明は、小型や薄型の各種電子機器に用いる巻線型のコモンモードチョークコイルにおいて、互いに隣接するターンの導線間で大きな浮遊容量が発生するのを抑制して、高い特性インピーダンスを有するコモンモードチョークコイルを提供することができる。
【発明を実施するための最良の形態】
【００１７】  以下、本発明のコモンモードチョークコイルの第１の実施形態について、図１〜図５を参照して説明する。図１は第１の実施形態のコモンモードチョークコイル１０の全体構造を示す外観斜視図である。図２は前記第１の実施形態の内部構造を説明するための図であり、図２（Ａ）は一部を透視した平面図、図２（Ｂ）は底面図である。また、図３は、前記第１の実施形態のコモンモードチョークコイル１０の製造プロセスの一例を説明するための図であり、図３（Ａ）〜（Ｅ）は製造プロセスの手順を追った底面図である。図４は、本実施形態のコモンモードチョークコイルの特性インピーダンスを求めるのに用いた測定装置の一例を示す説明図である。また、図５は、本実施形態の実施例のコモンモードチョークコイル１０と比較例のコモンモードチョークコイルの特性インピーダンスを求めた結果を示すグラフである。【００１８】  図１に示すように、本実施形態のコモンモードチョークコイル１０の全体構造は、ドラム型コア１１の軸と直交する断面が矩形の巻軸１３の周囲に一対の導線１５が約４ターン巻回されるとともに、ドラム型コア１１の鍔１２の上面に板状の閉磁路形成用コア１９が固着されたものである。また、上記ドラム型コア１１の一方の鍔１２の周部には、一対の脚部１２Ａ１，１２Ｂ１が設けられるとともに、該ドラム型コア１１の他方の鍔１２の周部には一対の脚部１２Ａ２，１２Ｂ２が設けられている。また、前記それぞれの脚部１２Ａ１、１２Ｂ１、１２Ａ２，１２Ｂ２の先端には電極１４Ａ１，１４Ｂ１，１４Ａ２，１４Ｂ２が設けられている。【００１９】  具体的には、巻軸１３と該巻軸１３の一方及び他方の端部に該巻軸１３と直交するように設けられた一方及び他方の鍔１２，１２とを有するドラム型コア１１と、該ドラム型コア１１の前記一方の鍔１２の周部と他方の鍔１２の周部とにそれぞれ一対互いに独立して形成された電極１４と、前記ドラム型コア１１の前記一方の鍔１２のそれぞれ異なる電極１４Ａ１，１４Ｂ１に始端が接続されるとともに前記ドラム型コア１１の前記巻軸１３の周囲に互いに密着して複数ターン巻回され前記他方の鍔１２のそれぞれ異なる電極１４Ａ２，１４Ｂ２に終端が接続された一対の導線１５Ａ，１５Ｂとを有するコモンモードチョークコイル１０であって、前記ドラム型コア１１の巻軸１３の周囲に複数ターン巻回された導線１５のうち少なくとも１箇所に前記一対の導線１５Ａ，１５Ｂが交差する交差部Ｃが設けられて該交差部Ｃを構成するいずれか一方の導線同士が該交差部Ｃの前後１ターン未満で隣接するように巻回されているものである。【００２０】  また、上記第１の実施形態においては、前記ドラム型コアの巻軸１３は該巻軸１３と直交する断面が矩形であり、該巻軸１３の一つの面上に前記交差部Ｃが設けられ、前記交差部Ｃを構成するいずれか一方の導線同士が前記巻軸１３の残りの三つの面上で隣接している。【００２１】  また、上記第１の実施形態においては、前記一対の導線１５Ａ，１５Ｂの互いに隣接する二つのターンに前記交差部Ｃがそれぞれ設けられている。【００２２】  また、上記第１の実施形態においては、前記一対の導線１５Ａ，１５Ｂのターン毎にそれぞれ前記交差部Ｃが設けられている。【００２３】  また、上記第１の実施形態においては、前記一対の導線１５Ａ，１５Ｂに複数の交差部Ｃを備えるとともに、いずれか一方の導線（本実施形態では１５Ｂ）が前記複数の交差部Ｃ１，Ｃ２，Ｃ３，Ｃ４のそれぞれにおいて前記巻軸１３表面との間に他方の導線（本実施形態では１５Ａ）を挟んでその外側を乗り越えるように交差している。【００２４】  具体的には、前記ドラム型コア１１の巻軸１３の周囲に一対の導線１５Ａ，１５ＢがＴ１〜Ｔ４の４ターン巻回されている。一方の導線１５Ａの始端はドラム型コア１１の一方の鍔１２の周部に設けられた脚部１２Ａ１の先端の電極１４Ａ１に接続され、該導線１５Ａの終端は前記ドラム型コア１１の他方の鍔１２の周部に設けられた脚部１２Ａ２の先端の電極１４Ａ２に接続されている。同様に、他方の導線１５Ｂの始端はドラム型コア１１の一方の鍔１２の周部に設けられた脚部１２Ｂ１の先端の電極１４Ｂ１に接続され、該導線１５Ｂの終端は前記ドラム型コア１１の他方の鍔１２の周部に設けられた脚部１２Ｂ２の先端の電極１４Ｂ２に接続されている。
また、前記一対の導線１５は、前記ドラム型コア１１の巻軸１３は該巻軸１３と直交する断面が矩形であって、該巻軸１３の底面側において前記各ターンＴ１〜Ｔ４にそれぞれ１箇所ずつ前記一対の導線１５Ａ，１５Ｂが互いに交差する交差部Ｃ１〜Ｃ４が設けられている。本実施形態においては前記一対の導線１５Ａ，１５Ｂのうちのいずれか一方の導線（本実施形態では１５Ｂ）が、前記交差部Ｃ１〜Ｃ４のそれぞれにおいて、前記巻軸１３表面との間に他方の導線（本実施形態では１５Ａ）を挟んでその外側を乗り越えるように交差している。
そして、ドラム型コア１１の巻軸１３は軸と直交する断面が矩形であって、該巻軸１３の前記底面上に前記交差部Ｃが設けられ、該交差部Ｃを構成するいずれか一方の導線同士が前記巻軸１３の残りの三つの面上で隣接している。
具体的には、前記一対の導線１５の第１のターンＴ１には底面上に交差部Ｃ１が設けられ、該交差部Ｃ１を構成する他方の導線１５Ｂの該交差部Ｃ１の前の第１のターンＴ１の導線１５Ｂ１と、前記交差部Ｃ１の後の第２のターンＴ２の他方の導線１５Ｂ２とが前記巻軸１３の残りの三つの面上で互いに隣接している。
また、前記第１のターンＴ１と隣接する第２のターンＴ２には、前記第１のターンと同様に交差部Ｃ２が設けられている。そして、該交差部Ｃ２を構成する一方の導線１５Ａの該交差部Ｃ２の前の第２のターンＴ２の導線１５Ａ２と、前記交差部Ｃ２の後の第３のターンＴ３の一方の導線１５Ａ３とが前記矩形の巻軸１３の残りの三つの面上で互いに隣接している。
また、前記第２のターンＴ２に隣接する第３のターンＴ３には、前記第１のターンと同様に交差部Ｃ３が設けられている。そして、該交差部Ｃ３を構成する他方の導線１５Ｂの該交差部Ｃ３の前の第３のターンＴ３の導線１５Ｂ３と、前記交差部Ｃ３の後の第４のターンＴ４の他方の導線１５Ｂ４とが前記矩形の巻軸１３の残りの三つの面上で互いに隣接している。
また、本実施形態のコモンモードチョークコイル１０においては、いずれか一方の導線（本実施形態では１５Ｂ）が、第１のターンＴ１の交差部Ｃ１とこれと隣接する第２のターンＴ２の交差部Ｃ２とで、前記巻軸１３表面との間に他方の導線（本実施形態では１５Ａ）を挟んでその外側を乗り越えるように交差する点で共通する。このように構成されているので、本実施形態のコモンモードチョークコイル１０においては、複数ターンの巻回に応じてドラム型コアと巻線機の巻線ノズル等の給線手段とを相対的に連続して捻りを加える必要がない。このため、巻線ノズル１つの安価な巻線機で一方の導線１５Ａと他方の導線１５Ｂとを２度に分けて巻線することができる。また、一対の巻線ノズルを備えた巻線機を用いる場合においても、ドラム型コアと一対のノズルとを約１８０℃の角度で相対移動させるだけで巻線することができるので、巻線機の大型化・複雑化を回避することができるというメリットを有する。【００２５】  上記コモンモードチョークコイル１０のドラム型コア１１としては、Ｎｉ−Ｚｎ系フェライト、Ｎｉ−Ｚｎ−Ｃｕ系フェライト等を主成分とする高透磁率絶縁材料から適宜選択して用いることができ、前記の絶縁材料の粉末とバインダーとを混合し、造粒した後、粉末成型プレスを用いて所定の形状に成型し、８００℃前後で脱バインダー処理した後、各絶縁材料の焼結温度に応じて所定の温度で焼成することにより得られる。また、前記ドラム型コア１１は、前記のように高透磁率絶縁材料に限定するものではなく、前記高透磁率絶縁材料の粉末、Ｍｎ−Ｚｎ系フェライトや金属磁性材料等の低抵抗磁性材料の粉末と、エポキシ樹脂等の絶縁性樹脂とを混合して所定形状の金型内で成型して得られる、樹脂複合材のドラム型コアを用いることもできる。また、上記ドラム型コア１１の形状は導線１５が巻回される巻軸１３の両端にそれぞれ鍔１２が前記巻軸１３と一体もしくは別体に形成されたドラム型のものが好ましい。また、前記の透磁率絶縁材料と前記の樹脂複合材とを組み合わせてドラム型のコアを形成してもよい【００２６】  また、上記板状の閉磁路形成用コア１９としては、上記ドラム型コアと同様の材料により構成することができる。【００２７】  上記ドラム型コア１１の鍔１２の周部に設けられる電極１４としては、高透磁率絶縁材料を用いたドラム型コア１１の場合には、Ａｇ粉末とガラス粉末とを含む焼付型の電極材料ペーストを用いることができるが、これに限定するものではなく、Ａｇ粉末やＡｇ−Ｐｄ粉末等の導電性粒子とエポキシ樹脂等とを混合した熱硬化型の導電性ペーストを用いることができる。また、後者の熱硬化型の導電性ペーストの場合には、前記の樹脂複合材を用いたコアの電極としても適用できる。
また、上記電極１４の表面に、半田付けや熱圧着等による接続性を向上させるために、必要によりＣｕメッキ、Ｎｉメッキ、Ｓｎメッキ等を形成してもよい。【００２８】  上記ドラム型コア１１の巻軸１３に巻回される一対の導線１５としては、ポリウレタン樹脂、ポリエステル樹脂等で絶縁被覆された銅等の金属線を用いることができ、前記金属線は単線・撚り線のいずれであってもよい。また、該一対の導線１５は、個々に前記絶縁被覆されたものであってもよく、また、一対の導線１５を一体に絶縁被覆されたものであってもよい。【００２９】  上記ドラム型コア１１の鍔１２の周部に設けられた電極１４と前記導線１５との接続は、半田付けによるものが一般的である。また、これに限定するものではなく上記電極１４の表面に熱圧着により接続してもよい。【００３０】  上記一対の導線１５に設けられる交差部Ｃとしては、前記ドラム型コア１１の巻軸１３の周囲に１ターン巻回されるうちの底面側にそれぞれ１箇所ずつ設けられているが、これに限定するものではなく、巻軸１３の周囲のいずれの位置に設けてもよい。また、１ターンに前記交差部Ｃを複数箇所設けてもよい。【００３１】  次に、上記本実施形態のコモンモードチョークコイル１０の製造プロセスの一例について図３を参照しながら説明する。
まず、Ｎｉ−Ｚｎ系フェライトを主成分とする磁性材料粉末と有機バインダーと溶剤とを混合してスラリーを作成し、得られたスラリーをスプレードライヤーを用いて造粒し、乾式成型プレスを用いて所定の形状に成型し、得られた成型体を大気中８００℃で３０分間加熱して脱バインダー処理した後、１３００℃で３時間焼成して、図３（Ａ）に示すように、巻軸１３と該巻軸１３の端部に設けられた板状の鍔１２とを有するとともに、前記鍔１２の底面側にはそれぞれ一対の脚部１２Ａ１，１２ｂ１、１２Ａ２，１２Ｂ２が設けられたドラム型コア１１を得た。尚、コアの各部のサイズは、鍔１２の幅が０．９６ｍｍ、脚部を含めた鍔の高さが０．５ｍｍ、両端の鍔１２の厚みを含めた軸方向の長さが１．１８ｍｍ、矩形の巻軸の幅が０．７２ｍｍ、同巻軸の厚みが０．２７ｍｍである。
次に、図３（Ｂ）に示すように、Ａｇ粉末を主成分とする焼付け型の電極材料ペーストを準備し、得られたドラム型コア１１の鍔１２の前記それぞれの脚部１２Ａ１，１２ｂ１、１２Ａ２，１２Ｂ２の先端に転写法により前記電極材料ペーストを塗布し、６５０℃で１０分間焼付けして端子電極１４を形成し、さらに、前記端子電極１４の表面に電解メッキ法によりＣｕメッキ、Ｎｉメッキ、Ｓｎメッキを順次形成した。
次に、図３（Ｃ）に示すように、前記ドラム型コア１１の前記一方の鍔１２に設けられた一方の電極１４Ａ１に一対の導線１５の一方の導線１５Ａ（線径３０μｍ）の一端を熱圧着により接続し、前記巻軸の周囲に第１のターン（Ｔ１）〜第４のターン（Ｔ４）の４ターンを巻回した後、前記一方の導線１５Ａの他端を前記他方の鍔１２に設けられた一方の電極１４Ａ２に熱圧着により接続した。
次に、図３（Ｄ）に示すように、前記ドラム型コア１１の前記一方の鍔１２に設けられた他方の電極１４Ｂ１に一対の導線１５の他方の導線１５Ｂ（線径３０μｍ）の一端を熱圧着により接続した後、前記巻軸１３の周囲に１ターンする毎に前記一方の導線１５Ａと交差するようにして第１のターン（Ｔ１）〜第４のターン（Ｔ４）の４ターンを巻回した後、前記他方の導線１５Ｂの他端を前記他方の鍔１２に設けられた他方の電極１４Ｂ２に熱圧着により接続した。
さらに、図３（Ｄ）に示すように、前記ドラム型コア１１の一対の鍔１２の上面側に接するように上記ドラム型コアと同様の高透磁率磁性材からなる板状の閉磁路形成用コア１９をエポキシ系の絶縁性接着剤により固着して、図１に示す本実施形態のコモンモードチョークコイル１０を得た。
【実施例】
【００３２】  上記で得られた本実施形態のコモンモードチョークコイル１０と、前記一対の導線に交差部Ｃを設けないこと以外は前記と同様にして得られた比較例のコモンモードチョークコイルについて、図４に示すようにＴｅｋｔｒｏｎｉｘ社製のオシロスコープ（ＴＤＳ８２００）１０１にＴＤＲ（Ｔｉｍｅ  Ｄｏｍａｉｎ  Ｒｅｆｌｅｃｔｏｍｅｔｒｙ）サンプリングモジュール（８０Ｅ０４）１０２を装着し５０Ω終端の測定治具１０３をＳＭＡケーブル１０４で接続してＴＤＲ波形を測定し該波形から特性インピーダンスを求めた結果を図５に示した。尚、図５において、実線は本発明の実施例の測定結果を示し、破線は比較例の測定結果を示す。【００３３】  図５に示されるように、上記本実施形態の実施例のコモンモードチョークコイル１０は、従来例のコモンモードチョークコイルよりも高い特性コモンインピーダンスを有するものである。【００３４】  次に、本発明のコモンモードチョークコイルの第２の実施形態について、図６を参照して説明する。図６は第２の実施形態のコモンモードチョークコイル２０の内部構造を示す図であり、図６（Ａ）は一部を透視した平面図、図６（Ｂ）は底面図である。【００３５】  図６に示すように、本実施形態のコモンモードチョークコイル２０の全体構造は、ドラム型コア２１の軸と直交する断面が矩形の巻軸２３の周囲に一対の導線２５が一体に絶縁被覆されたペア線が約４ターン巻回されるとともに、ドラム型コア２１の鍔２２の上面に板状の閉磁路形成用コア２９が固着されたものである。また、上記ドラム型コア２１の一方及び他方の鍔２２の周部には、それぞれ一対の脚部が設けられている。また、前記それぞれの脚部の先端には電極２４Ａ１，２４Ｂ１，２４Ａ２，２４Ｂ２が設けられている。【００３６】  具体的には、巻軸２３と該巻軸２３の一方及び他方の端部に該巻軸２３と直交するように設けられた一方及び他方の鍔２２，２２とを有するドラム型コア２１と、該ドラム型コア２１の前記一方の鍔２２の周部と他方の鍔２２の周部とにそれぞれ一対互いに独立して形成された電極２４と、前記ドラム型コア２１の前記一方の鍔２２のそれぞれ異なる電極２４Ａ１，２４Ｂ１に始端が接続されるとともに前記ドラム型コア２１の前記巻軸２３の周囲に互いに密着して複数ターン巻回され前記他方の鍔２２のそれぞれ異なる電極２４Ａ２，２４Ｂ２に終端が接続された一対の導線２５Ａ，２５Ｂとを有するコモンモードチョークコイル２０であって、前記ドラム型コア２１の巻軸２３の周囲に複数ターン巻回された導線２５のうち少なくとも１箇所に前記一対の導線２５Ａ，２５Ｂが交差する交差部Ｃが設けられて該交差部Ｃを構成するいずれか一方の導線同士が該交差部Ｃの前後１ターン未満で隣接するように巻回されているものである。【００３７】  また、上記第２の実施形態においては、前記ドラム型コアの巻軸２３は該巻軸２３と直交する断面が矩形であり、該巻軸２３の一つの面上に前記交差部Ｃが設けられ、前記交差部Ｃを構成するいずれか一方の導線同士が前記巻軸２３の残りの三つの面上で隣接している。【００３８】  また、上記第２の実施形態においては、前記一対の導線２５Ａ，２５Ｂの互いに隣接する二つのターンに前記���差部Ｃがそれぞれ設けられている。【００３９】  また、上記第２の実施形態においては、前記一対の導線２５Ａ，２５Ｂのターン毎にそれぞれ前記交差部Ｃが設けられている。【００４０】  また、上記第２の実施形態においては、前記一対の導線２５Ａ，２５Ｂに複数の交差部Ｃを備えるとともに、いずれか一方の導線（本実施形態では２５Ｂ）が前記複数の交差部Ｃ１，Ｃ２，Ｃ３，Ｃ４のそれぞれにおいて前記巻軸２３表面との間に他方の導線（本実施形態では２５Ａ）を挟んでその外側を乗り越えるように交差している。【００４１】  上記第１の実施形態と本第２の実施形態とで異なる点は、前記のように一対の導線２５として一体に絶縁被覆されたペア線を用いた点にあり、その他の作用効果については前記第１の実施形態と同様であるため説明を省略する。【００４２】  次に、本発明のコモンモードチョークコイルの第３の実施形態について、図７を参照して説明する。図７は第３の実施形態のコモンモードチョークコイル３０の内部構造を示す図であり、図７（Ａ）は一部を透視した平面図、図７（Ｂ）は底面図である。【００４３】  図７に示すように、本実施形態のコモンモードチョークコイル３０の全体構造は、ドラム型コア３１の軸と直交する断面が矩形の巻軸３３の周囲に一対の導線３５が一体に絶縁被覆されたペア線が約４ターン巻回されるとともに、ドラム型コア３１の鍔３２の上面に板状の閉磁路形成用コア３９が固着されたものである。また、上記ドラム型コア３１の一方及び他方の鍔３２の周部には、それぞれ一対の脚部が設けられている。また、前記それぞれの脚部の先端には電極３４Ａ１，３４Ｂ１，３４Ａ２，３４Ｂ２が設けられている。【００４４】  具体的には、巻軸３３と該巻軸３３の一方及び他方の端部に該巻軸３３と直交するように設けられた一方及び他方の鍔３２，３２とを有するドラム型コア３１と、該ドラム型コア３１の前記一方の鍔３２の周部と他方の鍔３２の周部とにそれぞれ一対互いに独立して形成された電極３４と、前記ドラム型コア３１の前記一方の鍔３２のそれぞれ異なる電極３４Ａ１，３４Ｂ１に始端が接続されるとともに前記ドラム型コア３１の前記巻軸３３の周囲に互いに密着して複数ターン巻回され前記他方の鍔３２のそれぞれ異なる電極３４Ａ２，３４Ｂ２に終端が接続された一対の導線３５Ａ，３５Ｂとを有するコモンモードチョークコイル３０であって、前記ドラム型コア３１の巻軸３３の周囲に複数ターン巻回された導線３５のうち少なくとも１箇所に前記一対の導線３５Ａ，３５Ｂが交差する交差部Ｃが設けられて該交差部Ｃを構成するいずれか一方の導線同士が該交差部Ｃの前後１ターン未満で隣接するように巻回されているものである。【００４５】  また上記第３の実施形態においては、前記ドラム型コア３１の巻軸３３は該巻軸３３と直交する断面が矩形であり、該巻軸３３の矩形の断面の３辺上で前記交差部Ｃを構成するいずれか一方の導線同士が隣接している。【００４６】  また、上記第３の実施形態においては、前記一対の導線３５Ａ，３５Ｂの互いに隣接する二つのターンに前記交差部Ｃがそれぞれ設けられている。【００４７】  また、上記第３の実施形態においては、前記一対の導線３５Ａ，３５Ｂのターン毎に���れぞれ前記交差部Ｃが設けられている。【００４８】  また、上記第３の実施形態においては、前記一対の導線３５Ａ，３５Ｂに複数の交差部Ｃを備えるとともに、交差部Ｃ１，Ｃ３においては一方の導線３５Ａが前記巻軸３３表面との間に他方の導線３５Ｂを挟んでその外側を乗り越えるように交差しており、交差部Ｃ２，Ｃ４においては他方の導線３５Ｂが前記巻軸３３表面との間に一方の導線３５Ａを挟んでその外側を乗り越えるように交差している点で上記第２の実施形態と異なり、その他の作用効果については前記第２の実施形態と同様であるため説明を省略する。【００４９】  尚、上記第１〜第３の実施形態においては、いずれも軸と直交する断面が矩形の巻軸を有するドラム型コアを用いたが、本発明はこれに限定するものではなく、断面円形もしくは略円形の巻軸のドラム型コアを用いることもできる。【００５０】  また、上記第１〜第３の実施形態においては、いずれも一対の導線を４ターンしているが、本発明はこれに限定するものではなく、用途に応じて任意のターン数のものを用いることができる。【００５１】  また、上記第１〜第３の実施形態においては、いずれも複数ターンのそれぞれに交差部Ｃを設けているが、これに限定するものではなく、複数ターンのうちの一部のターンのみに交差部を設けてもよい。
【産業上の利用可能性】
【００５２】    本発明によれば、小型や薄型の各種電子機器に用いる巻線型のコモンモードチョークコイルに好適である。
【図面の簡単な説明】
【００５３】
【図１】本発明のコモンモードチョークコイルの第１の実施形態を示す斜視図である。
【図２】上記第１の実施形態の内部構造を示す平面図及び底面図である。
【図３】上記第１の実施形態の製造プロセスの一例を示す底面図である。
【図４】上記第１の実施形態のコモンモードチョークコイルの特性インピーダンスを求めるのに用いた測定装置の一例を示す説明図である。
【図５】上記第１の実施形態のコモンモードチョークコイルの特性インピーダンスを求めた結果を示す図である。
【図６】本発明のコモンモードチョークコイルの第２の実施形態の内部構造を示す平面図及び底面図である。
【図７】本発明のコモンモードチョークコイルの第３の実施形態の内部構造を示す平面図及び底面図である。
【図８】背景技術のコモンモードチョークコイルを示す図である。
【符号の説明】
【００５４】１０：コモンモードチョークコイル
１１：ドラム型コア
１２：鍔
１３：巻軸
１４、１４Ａ１，１４Ａ２，１４Ｂ１，１４Ｂ２：電極
１５、１５Ａ，１５Ｂ：導線
１９：閉磁路形成用コア
２０：コモンモードチョークコイル
２１：ドラム型コア
２２：鍔
２３：巻軸
２４、２４Ａ１，２４Ａ２，２４Ｂ１，２４Ｂ２：電極
２５、２５Ａ，２５Ｂ：導線
２９：閉磁路形成用コア
３０：コモンモードチョークコイル
３１：ドラム型コア
３２：鍔
３３：巻軸
３４、３４Ａ１，３４Ａ２，３４Ｂ１，３４Ｂ２：電極
３５、３５Ａ，３５Ｂ：導線
３９：閉磁路形成用コア
Ｃ、Ｃ１，Ｃ２，Ｃ３，Ｃ４：交差部
Ｔ、Ｔ１、Ｔ２，Ｔ３，Ｔ４：ターン
【図１】
2008034777.tif 000003
【図２】
2008034777.tif 000004
【図３】
2008034777.tif 000005
【図４】
2008034777.tif 000006
【図５】
2008034777.tif 000007
【図６】
2008034777.tif 000008
【図７】
2008034777.tif 000009
【図８】
2008034777.tif 000010